(57)【要約】【課題】撮像装置の分解、組み立てにおいて、専用の道具を用意することなく、その作業効率を向上する手法の確立。【解決手段】ビス固定される外装カバーを有する撮像装置において、外装カバーにはリブで形成された複数の箱状の構造物が配されている。【選択図】図４
2019139034.tif 000002
【特許請求の範囲】
【請求項１】
ビス固定される外装カバーを有する撮像装置において、前記外装カバーはリブを有し、前記外装カバーと前記リブにより囲われた複数の箱状の構造物を有することを特徴とする撮像装置。
【請求項２】
前記複数の箱状の構造物を形成するリブは、互いに平行なリブと前記リブに対し直行となるリブで形成され、前記平行なリブ同志の間隔や高さが異なることを特徴とする請求項１に記載の撮像装置。
【請求項３】
前記複数の箱状の構造物は、リブにスリット形状を有することを特徴とする請求項１に記載の撮像装置。
【請求項４】
前記複数の箱状の構造物は、撮像装置の外装もしくは構造物を締結するためのビスを格納することが可能で、前記箱状の構造物の前記スリット形状の幅は前記ビスの頭の直径より小さいことを特徴とする請求項１に記載の撮像装置。
【発明の詳細な説明】
【技術分野】
【０００１】
本発明は、ビス固定されている外装カバーを有する撮像装置に関するものである。
【背景技術】
【０００２】
昨今、多機能化による構成部品の複雑化により、撮像装置本体を構成する部品点数は増加しており、部品を固定するための留めビスは増大傾向にある。そして、その留めビスの種類は、様々な状況下により、その長さや形状において多様化している。ここで、撮像装置においては、本体の分解、組み立てを行う際、留めビスが多いため、これを紛失してしまうケースが多く、作業に支障をきたしている。また、留めビスの種類も多いため、組み立てを行う際に、どの留めビスを使ったらよいのか、判断に困ってしまうこともあり、作業効率が低下してしまっている。
【０００３】
以上のことから、撮像装置本体が複雑化傾向にある昨今、撮像装置の分解、組み立ての作業性は低下してしまっているのが現状である。そのため、早急に作業効率を向上する手法を確立することが望まれている。ここで、特許文献１に示した通り、種類の異なる附属品を一括収納するための手法が提案されている。
【先行技術文献】
【特許文献】
【０００４】
【特許文献１】特開平１１−１７８６２５号公報
【発明の概要】
【発明が解決しようとする課題】
【０００５】
ここで、特許文献１に示した構成をとった場合、附属品を一括収納するために専用のケースを用意する必要があるため、作業が煩雑化してしまうという問題がある。
【０００６】
このように、専用の道具を用意することなく、効率的に撮像装置の分解、組み立てを行うことができ、作業効率を向上する手法を確立することが課題である。
【０００７】
そこで本発明は、上記課題を鑑み、撮像装置の分解、組み立てにおいて、専用の道具を用意することなく、その作業効率を向上する手法を確立することを目的としている。
【課題を解決するための手段】
【０００８】
本発明の撮像装置は、ビス固定される外装カバーを有する撮像装置において、
前記外装カバーはリブを有し、前記外装カバーと前記リブにより囲われた複数の箱状の構造物を有することを特徴としている。
【０００９】
また、本発明の撮像装置は、前記複数の箱状の構造物を形成するリブは、互いに平行なリブと前記リブに対し直行となるリブで形成され、前記平行なリブ同志の間隔や高さが異なることを特徴としている。
【００１０】
また、本発明の撮像装置は、前記複数の箱状の構造物は、リブにスリット形状を有することを特徴としている。
【００１１】
また、本発明の撮像装置は、前記複数の箱状の構造物は、撮像装置の外装もしくは構造物を締結するためのビスを格納することが可能で、前記箱状の構造物の前記スリット形状の幅は前記ビスの頭の直径より小さいことを特徴としている。
【発明の効果】
【００１２】
以上説明したように、本発明によれば、撮像装置の分解、組み立てにおいて、専用の道具を用意することなく、その作業効率を向上することができる。
【図面の簡単な説明】
【００１３】
【図１】本発明の実施例における撮像装置１の構成を示すブロック図。
【図２】本発明の実施例における撮像装置の外観斜視図。
【図３】本発明の実施例における撮像装置の外装カバー５１の分解斜視図。
【図４】本発明の実施例における撮像装置の外装カバー５１の外観を説明するための斜視図。
【図５】本発明の実施例における撮像装置の外装カバー５１の外観を説明するための正面図。
【発明を実施するための形態】
【００１４】
［実施例］
以下、本発明の好適な一実施形態について、撮像装置に本発明を適用し、図面を参照しながら詳細に説明する。
【００１５】
なお、説明に関しては、本発明に関連する部分を中心に説明を行い、発明と直接関連しない部分に関しては非図示とし説明を省略している。
【００１６】
（撮像装置のブロック図の説明）
以下、本発明の実施形態を説明する。
【００１７】
図１は、本発明の実施例における撮像装置１の構成を示すブロック図である。図１に示すように、撮像装置１は、レンズ部３０、記録メディア３２、センサ部３８、操作部３９、本体制御部４０、光量調節部４１、電源部４２、表示ユニット４３、表示装置４４等からなる。
【００１８】
レンズ部３０に入射した被写体光は、光量調節部４１を通過し、センサ部３８の撮像素子に結像して光電変換される。ここで、被写体光は、レンズ部３０内にある絞りユニットや切り替え式のＮＤ（Neutral Density）フィルタに代表される光量調節部４１により光量が調節される光量調節手段により、加工された状態で、センサ部３８に届くこととなる。
【００１９】
操作部３９は、撮影者が操作を行う、例えば記録開始スイッチなどが含まれる。操作部３９が操作されると、その情報は本体制御部４０へ伝達され、本体制御部４０はこの操作情報を元に記録開始等の撮影制御を行う。
【００２０】
本体制御部４０は、画像・音声情報の入出力、圧縮・変換等の画像処理、記録・再生等の録再処理等に代表される情報処理を行う。センサ部３８から本体制御部４０に画像情報が入力されると、本体制御部４０は、この画像情報に対して画像処理等の情報処理を行う。本体制御部４０は、伝達された画像情報に応じて、前述した通り、例えば絞りユニットを動作させ、撮像画像の明度の調整を行わせる等のレンズ部３０の制御を行う。撮影画像を記録する場合は、本体制御部４０が記録メディア３２へ画像情報を伝達し撮影画像を記録させる。
【００２１】
表示ユニット４３は、本体制御部４０からの指示に基づき、表示装置４４に撮影する被写体の画像の表示を行うことはもとより、撮影者が撮像装置を使用上発生する警告等、各種情報の表示を行う。
【００２２】
電源部４２はＤＣ端子やバッテリ端子等が含まれる。ＤＣ端子では、外部電源ケーブルを介して外部電源より電力を得ることが可能である。また、バッテリ端子では、電源ユニットのバッテリより電力を得ることが可能である。電源部４２で得られる電力は、本体制御部４０へ電送され、本体制御部４０により各駆動要素に適した電圧に電圧変換が行われた後、各駆動要素の電源として各駆動要素へ電送される。
【００２３】
（撮像装置外観の説明）
図２は、本発明の実施例における撮像装置の外観斜視図である。図２に示すように、撮像装置１は、外装カバー５１、留めビス５２等を有する。
【００２４】
ここで、図２に示した通り、外装カバー５１は留めビス５２により、撮像装置本体へ結合されている。
【００２５】
（撮像装置１における外装カバー５１の分解斜視図の説明）
図３は、本発明の実施例における撮像装置の外装カバー５１の分解斜視図である。図３に示すように、撮像装置１の分解作業においては、留めビス５２を外すことによって、外装カバー５１を撮像装置１より外すことができる。
【００２６】
（外装カバー５１の外観の説明）
図４は、本発明の実施例における撮像装置の外装カバー５１の外観を説明するための斜視図である。図４に示した通り、外装カバー５１はリブで形成された複数の箱状構造物６１を有する。
【００２７】
ここで、撮像装置１の分解作業においては、様々な留めビス５２を撮像装置１から外すこととなり、留めビス５２を紛失してしまうケースが多々ある。そこで、箱状構造物６１の役割としては、分解作業時において、撮像装置１から取り外した留めビス５２を収納するための収納ケースの役割を果たす。これにより、撮像装置１の分解作業において、様々な留めビス５２を箱状構造物６１へ収納することで、留めビス５２を紛失することなく、作業を行うことが可能であり、作業効率の向上となる。また、撮像装置１の組み立て時においても、箱状構造物６１に収納されている留めビス５２を使用することで、留めビス５２を紛失することなく、作業効率を向上することができる。
【００２８】
また、外装カバー５１へ箱状構造物６１を配置することで、外装カバー５１にかかる外部からの力に対して外装カバー５１の強度を増すことができる。
【００２９】
（箱状構造物６１の形状を詳細に説明するための外装カバー５１の外観の説明）
図５は、本発明の実施例における撮像装置の外装カバー５１の外観を説明するための正面図である。図５に示した通り、外装カバー５１は複数の箱状構造物６１を有する。そして、この箱状構造物６１においては、箱状構造物６１の高さが異なるように配されている。これにより、留めビス５２を箱状構造物６１へ収納する際には、留めビス５２の種類別に高さの違う箱状構造物６１へ収納して区別することが可能である。具体的には、標準の留めビス５２は高さの高い箱状構造物６１へ収納し、セルフタップの留めビス５２は高さの低い箱状構造物６１へ収納するといった例がある。
【００３０】
このようにすることで、組み立て時に、箱状構造物６１から留めビス５２を取り出す際に、留めビス５２の種類を間違えることなく、組み立てることが可能であり、作業効率が向上する効果がある。なお、本実施例では、箱状構造物６１の高さを変えたが、箱状構造物６１の幅などの形状を変えたものでもよい。
【００３１】
また、図５に示した通り、箱状構造物６１はスリット部６２を有する。このスリット部６２のスリット幅は留めビス５２の頭より狭くなっており、収納されている留めビス５２がスリット部６２より漏れ出てしまうことはない。そして、このスリット部６２があることで、作業者は収納されている留めビス５２の量を確認することが可能であり、作業効率が向上する。
【００３２】
以上、説明した通り、本発明によれば、撮像装置１の一部を形成する外装カバー５１に箱状構造物６１を配することで、この箱状構造物６１へ留めビス５２を収納することが可能である。これにより、撮像装置１の分解、組み立てにおいて、専用の道具を用意することなく、留めビス５２が収納可能で、作業効率を向上することができる。
【００３３】
以上、箱状構造物６１の配置に関して、好適な実施形態を記述してきたが、これら特定の実施形態に限られるものではない。この発明の趣旨を逸脱しない範囲のさまざまな形態も本発明に含まれる。
【符号の説明】
【００３４】
１ ・・・・ 撮像装置
３０ ・・・・ レンズ部
３２ ・・・・ 記録メディア
３８ ・・・・ センサ部
３９ ・・・・ 操作部
４０ ・・・・ 本体制御部
４１ ・・・・ 光量調節部
４２ ・・・・ 電源部
４３ ・・・・ 表示ユニット
４４ ・・・・ 表示装置
５１ ・・・・ 外装カバー
５２ ・・・・ 留めビス
６１ ・・・・ 箱状構造物
６２ ・・・・ スリット部
【図１】
2019139034.tif 000003
【図２】
2019139034.tif 000004
【図３】
2019139034.tif 000005
【図４】
2019139034.tif 000006
【図５】
2019139034.tif 000007